(57)【要約】【課題】従来のリュックサックの収容部に着脱自在とし、収容部の物品を固定して揺れを防ぐことができるパッキングホルダーを提供する。【解決手段】板状の本体板の表面にリュックサックの収容部に収容された物品を固定するために物品固定手段を備え、前記本体板を、前記収容部に着脱自在としたことを特徴とするパッキングホルダーとした。【選択図】図１
2016168215.tif 000002
【特許請求の範囲】
【請求項１】
板状の本体板の表面にリュックサックの収容部に収容された物品を固定するために物品固定手段を備え、
前記本体板を、前記収容部に着脱自在としたことを特徴とするパッキングホルダー。
【請求項２】
前記物品固定手段は、
一対の係止具を備えた帯状体で構成され、
前記一対の係止具のうち、第１の係止具を先端に有する前記帯状体の一端側は、前記本体板の上端に所定の長さの固定端として取り付けられ、
第２の係止具を有する前記帯状体の他端側は、前記本体板の下端に長さを調節可能とした自由端として取り付けられ、
前記収容部に収容されている物品の容量に応じて、前記帯状体の他端側の長さを調整して前記第１の係止具と前記第２の係止具とを連結することにより、前記収容部の物品を使用者の背中に押し付けるように前記本体板に固定可能としたことを特徴とする請求項１に記載のパッキングホルダー。
【請求項３】
前記本体板は、前記収容部の垂直方向の高さに応じて当該本体板の高さを調節可能とする高さ調節手段と、
前記高さ調節手段により調節した前記本体板の高さを固定可能な高さ固定手段と、を備えたことを特徴とする請求項１又は２に記載のパッキングホルダー。
【請求項４】
前記本体板は、水平方向の両端を使用者側に湾曲させた形状としたことを特徴とする請求項１〜３のいずれか１項に記載のパッキングホルダー。
【発明の詳細な説明】
【技術分野】
【０００１】
本発明は、リュックサック等に収容した物品を固定するために、リュックサックの物品の収容部に着脱自在としたパッキングホルダーに関するものである。
【背景技術】
【０００２】
従来、登山やハイキングなどで使用者が物品を運搬するのに好適な運搬手段としてリュックサック（一本又は二本の肩ベルトを使用者の肩に通して物品を運搬するバッグ）が広く用いられている。また近年では、リュックサックは使用者の両手が自由に使用できるため安全性が高いことから、登山やハイキングばかりではなく、通勤、通学、日常の街歩きやジョギングにおいても使用される機会が増えている。
【０００３】
このようなリュックサックでは、リュックサックの収容部に収容された物品がリュックサックの収容部内で揺れてしまい、その揺れが肩ベルトを介して使用者の肩に物品の重量以上の負荷を生じさせ、特に長時間の使用において使用者の疲労を増大させる原因となっていた。
【０００４】
そこで、本願出願人は、リュックサックの収容部に物品を固定して保持する荷物保持手段を設け、この荷物保持手段により物品を使用者の背中に押し当てるように固定することにより、収容された物品の揺れを減少することができるリュックサックを開示している（例えば、特許文献１に記載）。
【先行技術文献】
【特許文献】
【０００５】
【特許文献１】実用新案登録第３１６１９３５号公報
【発明の概要】
【発明が解決しようとする課題】
【０００６】
ところが、上記特許文献１に記載のリュックサックでは、荷物保持手段が収容部と一体となっているため、収容部の物品を固定するには荷物保持手段を備えたリュックサックを新たに購入するしかなく、例えば、使用者が用途に応じて複数のリュックサックを所持している場合は、その買い替え費用が負担となるばかりか、従来のリュックサックが無駄になるという問題があった。
【０００７】
この発明は、上記課題を解決するためになされたもので、従来のリュックサックの収容部に着脱自在とし、収容部の物品を固定して揺れを防ぐことができるパッキングホルダーを提供することを目的とする。
【課題を解決するための手段】
【０００８】
請求項１に記載の発明は、板状の本体板の表面にリュックサックの収容部に収容された物品を固定するために物品固定手段を備え、前記本体板を、前記収容部に着脱自在としたことを特徴とするパッキングホルダーとした。
【０００９】
請求項２に記載の発明は、請求項１に記載の発明において、前記物品固定手段は、一対の係止具を備えた帯状体で構成され、前記一対の係止具のうち、第１の係止具を先端に有する前記帯状体の一端側は、前記本体板の上端に所定の長さの固定端として取り付けられ、第２の係止具を有する前記帯状体の他端側は、前記本体板の下端に長さを調節可能とした自由端として取り付けられ、前記収容部に収容されている物品の容量に応じて、前記帯状体の他端側の長さを調整して前記第１の係止具と前記第２の係止具とを連結することにより、前記収容部の物品を使用者の背中に押し付けるように前記本体板に固定可能としたことを特徴とする。
【００１０】
請求項３に記載の発明は、請求項１又は２に記載の発明において、前記本体板は、前記収容部の垂直方向の高さに応じて当該本体板の高さを調節可能とする高さ調節手段と、前記高さ調節手段により調節した前記本体板の高さを固定可能な高さ固定手段と、を備えたことを特徴とする。
【００１１】
請求項４に記載の発明は、請求項１〜３のいずれか１項に記載の発明において、前記本体板は、水平方向の両端を使用者側に湾曲させた形状としたことを特徴とする。
【発明の効果】
【００１２】
請求項１に記載の発明によれば、板状の本体板の表面にリュックサックの収容部に収容された物品を固定するために物品固定手段を備え、この本体板を、収容部に着脱自在としたとしたパッキングホルダーとしたので、リュックサックの収容部に物品固定手段を持たないリュックサックであっても、収容部に収容した物品を固定可能なパッキングホルダーを後付で収容部に装着することができる。これにより、収容部に収容した物品を固定することができるので、リュックサックを使用しているときに生じる収容部の物品による横揺れを低減することができるので、使用者の肩への負担を少なくすることができ、疲労を軽減することが可能となる。
【００１３】
請求項２に記載の発明によれば、物品固定手段は、一対の係止具を備えた左右一対の帯状体で構成され、一対の係止具のうち、第１の係止具を先端に有する帯状体の一端側は、本体板の上端部に所定の長さの固定端として取り付けられ、第２の係止具を有する帯状体の他端側は、本体板の下端部に長さを調節可能とした自由端として取り付けられ、収容部に収容されている物品の容量に応じて、左右一対の帯状体の他端側の長さを調整して第１の係止具と第２の係止具とを連結することにより、収容部の物品を本体板に固定可能としている。
【００１４】
すなわち、リュックサックの収容部に収容されている物品の容量に応じて、物品固定手段としての帯状体の他端側の自由端の長さを調節して、収容部に収容した物品を使用者の背中に押し付けるように一対の第１の係止具と第２の係止具とを連結して物品を固定可能としている。これにより、収容部内に収容される物品の容量に応じて物品を本体板に固定できるので、収容部内での物品の横揺れを低減することができるので、使用者の疲労を軽減することが可能となる。
【００１５】
請求項３に記載の発明によれば、本体板は、収容部の垂直方向の高さに応じて当該本体板の高さを調節可能とする高さ調節手段と、高さ調節手段により調節した本体板の高さを固定可能な高さ固定手段と、備えている。このため、リュックサックの収容部の垂直方向の高さに合わせて本体板の垂直方向の高さを調節でき、しかも、高さ固定手段により調節した高さを固定して維持することができる。このため、収容部の垂直方向の高さが異なり、収容部への物品の収容量が異なる複数種類のリュックサックの収容部においても、同じパッキングホルダーを装着して、収容部に収容した物品を固定することが可能となる。
【００１６】
請求項４に記載の発明によれば、本体板は、水平方向の両端を使用者側に湾曲させた形状としたので、当該本体板をリュックサックの収容部の使用者の背中に当接する面に装着した場合に、リュックサックの収容部の使用者の背中に当接する面を使用者の背中を包み込むような形状にすることができる。このような形状の本体板に収容部に収容した物品を固定することにより、リュックサックの収容部内での物品に生じる横揺れをさらに低減することが可能となる。
【図面の簡単な説明】
【００１７】
【図１】この発明の実施例におけるパッキングホルダーの構成を説明する斜視図である。
【図２】この発明の実施例におけるパッキングホルダーの構成を説明する斜視図である。
【図３】この発明の実施例におけるパッキングホルダーをリュックサックの収容部への装着を示す図である。
【図４】この発明の実施例におけるパッキングホルダーの物品保持手段による物品の固定状態を説明する図である。
【図５】この発明の実施例におけるパッキングホルダーの本体部の形状を示す平面図である。
【図６】この発明の実施例におけるパッキングホルダーの高さ調節手段及び高さ固定手段を説明する図である。
【図７】この発明の実施例におけるパッキングホルダーの変形例を示す図である。
【発明を実施するための形態】
【００１８】
以下、本発明の実施例について図面を用いて詳細に説明する。
【００１９】
まず、図１及び図２を参照して、本実施例におけるパッキングホルダーの構成について説明する。図１及び図２はパッキングホルダー１０の構成を説明する斜視図である。
【００２０】
本実施例に係るパッキングホルダー１０は、図１及び図２に示すように、板状の本体板１１と、該本体板１１の表面に物品固定手段を備えている。本体板１１は、例えば、リュックサックの収納部の形状に応じて卵型に形成された軽量薄型の一枚のアクリル板（幅３００ｍｍ、高さ４００ｍｍ）等が好適に用いられる。また、本体板１１には楕円状に繰り抜かれた複数の空間１１ｄが形成され、これにより本体板１１の軽量化を図っている。さらに、詳細は後述するが、本体板１１は、上部本体板１１ａと下部本体板１１ｂとで構成され、この上部本体板１１ａと下部本体板１１ｂとの接合部には、上部本体板１１ａを下部本体板１１ｂの上部に伸延させてリュックサックの収容部の高さに応じて当該本体板１１の高さを調節可能とする高さ調節手段と、この高さ調節手段により調節した上部本体板１１ａの高さを固定する高さ固定手段を備えている。
【００２１】
物品保持手段は、両端に一対の係止具１３、１３を備え、垂直方向に平行に一定の間隔（例えば、８０〜９０ｍｍ）をあけた左右一対の帯状体１２、１２で構成されている。左右一対の帯状体１２、１２は、上端部１２ａ、１２ａ、中央部１２ｂ、１２ｂ及び下端部１２ｃ、１２ｃの３つに分割されて、それぞれ本体板１１に取り付けられている。
【００２２】
帯状体１２、１２の上端部１２ａ、１２ａは、一端が本体板１１の上部本体板１１ａの上端近傍に所定の長さの固定端として取り付けられ、他端には一対の係止具１３、１３のうち、第１の係止具である雌部１３ａ、１３ａが設けられている。帯状体１２、１２の中央部１２ｂ、１２ｂは、本体板１１の下部本体板１１ｂの表面に一定の間隔をあけて貼付固定されている。なお、下部本体板１１ｂの表面の中央部１２ｂ、１２ｂの貼付固定は、例えば、下部本体板１１ｂの表面に面ファスナーなどを用いて、中央部１２ｂ、１２ｂを着脱自在に貼付固定してもよい。
【００２３】
帯状体１２、１２の下端部１２ｃ、１２ｃは、一端が本体板１１の下部本体板１１ｂの下端近傍に、長さを調節可能とした自由端として取り付けられ、他端には一対の係止具１３、１３のうち、第２の係止具である雄部１３ｂ、１３ｂが設けられている。また、図１に示すように、帯状体１２、１２の下端部１２ｃ、１２ｃは、連結ベルト１５ａ、１５ｂ及び底部ベルト１４により一定の間隔を保って垂直方向に平行に保たれている。
【００２４】
底部ベルト１４は、リュックサックの収容部の底面の形状に合わせて、一枚のロ字状に形成されており、帯状体１２、１２の下端部１２ｃ、１２ｃと連結されている。また、底部ベルト１４は、収容部に満杯に物品が収容された場合に、この物品の重量を支えるためのものである。なお、底部ベルト１４の形状は、リュックサックの収容部の底面の形状に合わせたものであればよく、ロ字状に限らず楕円状等を用いることもできる。
【００２５】
帯状体１２、１２の下端部１２ｃ、１２ｃの底部ベルト１４よりも他端側には、下端部１２ｃ、１２ｃを一定の間隔で平行を保つために連結ベルト１５ａ、１５ｂが連結されている。
【００２６】
帯状体１２、１２の下端部１２ｃ、１２ｃの他端側にそれぞれ設けられている雄部１３ｂ、１３ｂの基部には、図２に示すように、下端部１２ｃ、１２ｃの長さを調節可能とした調整部１２ｄ、１２ｄがそれぞれ設けられている。
【００２７】
すなわち、本発明においては、第１の係止具及び第２の係止具として雌雄一対の合成樹脂製のテープアジャスターバックルが用いられており、帯状体１２、１２の上端部１２ａ、１２ａの一端側に雌部１３ａ、１３ａが固定されて連結されている。一方、雄部１３ｂ、１３ｂは、帯状体１２、１２の下端部１２ｃ、１２ｃの他端側に、調整部１２ｄ、１２ｄを介して、帯状体１２、１２の全体の長さを調節可能として連結されている。
【００２８】
そして、帯状体１２、１２の内側であり、且つ、底部ベルト１４の上部に物品を包み込んで、雌部１３ａ、１３ａと雄部１３ｂ、１３ｂとを連結することで、帯状体１２、１２により、リュックサックの収容部に収容された物品が、本体板１１の表面に固定して保持される。
【００２９】
このとき、帯状体１２、１２の下端部１２ｃ、１２ｃの他端側の調整部１２ｄ、１２ｄを介した下端部１２ｃ、１２ｃの端部を外側に引っ張ることで、帯状体１２、１２の全体の長さを短くするように調整できる。これにより、帯状体１２、１２の内部であり本体板１１の表面に包み込まれた物品は、緊迫されてリュックサックの収容部の使用者の背中に押し付けられるようにして固定される。
【００３０】
上述してきたように、本発明における物品保持手段として本体板１１に設けられた帯状体１２、１２は、リュックサックの収容部に収容されている物品の容量に応じて、第１の係止具である雌部１３ａ、１３ａと第２の係止具である雄部１３ｂ、１３ｂとを連結した後に、帯状体１２、１２の全長を調整することにより、収容部に収容した物品を使用者の背中に押し付けるように保持可能としている。
【００３１】
さらに、帯状体１２、１２の下端部１２ｃ、１２ｃは、連結ベルト１５ａ、１５ｂ及び底部ベルト１４により所定間隔を保って平行に保たれている。これにより、帯状体１２、１２を構成する左右一対の下端部１２ｃ、１２ｃの捩れを防止することができ、収容部の物品を均等に使用者の背中に押し付けるように固定して保持することができる。
【００３２】
以下、図３及び図４を参照して、本実施例におけるパッキングホルダー１０のリュックサックの収容部への着脱及び収容部に収容された物品の容量に応じて物品が固定されて保持される状態を説明する。パッキングホルダー１０は、図３に示すように、リュックサック１の収容部２（主収容部ともいう）に着脱自在としている。すなわち、図３（ａ）に示すように、リュックサック１の収容部２が空の状態で、パッキングホルダー１０をリュックサック１の収容部２に装着する。具体的に説明すると、パッキングホルダー１０の本体板１１を、収容部２の使用者の背中と当設する面に接するように、収容部２の内部に装着する。これにより、図３（ｂ）に示すように、パッキングホルダー１０は、リュックサック１の収容部２内において、使用者の背中に当接する側に本体板１１が配置されることになる。
【００３３】
また、リュックサック１の収容部２に装着したパッキングホルダー１０を取り外す場合は、リュックサック１の収容部２内の物品を取り出した後、パッキングホルダー１０をリュックサック１の収容部２から取り外すことになる。
【００３４】
図４（ａ）に示すように、リュックサック１の収容部２には、ほぼ満杯の容量で物品Ａ〜Ｃが収容されている。このような状態では、収容部２に収容されている物品Ａ〜Ｃは、物品保持手段である帯状体１２、１２により、使用者の背中に一体となるように本体板１１に押し付けられて固定される。これにより、使用者の歩行などによる収容部２の物品Ａ〜Ｃの揺れの発生を低減している。
【００３５】
図４（ｂ）に示すように、リュックサック１の収容部２には、満杯の容量の約２／３の容量で物品ＡＡ〜Ｃが収容されている。このような状態では、収容部２に収容されている物品ＡＡ〜Ｃは、物品保持手段である帯状体１２、１２の長さを調整することにより、使用者の背中に一体となるように本体板１１に押し付けられるようにして固定される。すなわち、本発明の帯状体１２、１２は、上述したように、帯状体１２、１２の中央部１２ｂ、１２ｂだけが本体板１１の下部本体板１１ｂの表面に一定の間隔をあけて貼付固定されている。そのため、収容部に収容した物品の容量が変化した場合でも、帯状体１２、１２の全体の長さを調整可能することにより、収容部２に収容された容量の異なる物品Ａ（又はＡＡ）〜Ｃを固定することを可能としている。
【００３６】
このように、収容部２に収容された物品の容量が変化した場合でも、リュックサック１を背負った使用者の背中に物品を押し付けるようにして固定することができる。このため、収容部２に収容された物品の揺れの発生を抑えることができ、物品の揺れることで生じる使用者の肩への負担を低減できるので、長時間使用しても遊技者への負担の少ないリュックサック１とすることができる。
【００３７】
上述してきたように、本発明のパッキングホルダー１０は、リュックサック１の収容部２内に装着して、本体板１１の表面に設けられた物品保持手段により、収容部２内の物品を固定して保持することで、使用者が当該リュックサック１を背負って歩行や軽いランニング等を行ったときの、収容部内での物品の揺れを抑えることができ、これにより、使用者の肩への負担を少なくすることができる。また、収容部の物品は、使用者の背中側に配置された本体板１１に押し付けるように保持されるので使用者の背中と一体化して物品の重さを感じないため、長時間背負っても疲れることがない。
【００３８】
また、図５に示すように、本発明のパッキングホルダー１０は、本体板１１の裏面の左右両端（水平方向の両端）を使用者側に湾曲させた形状としている。これにより、本体板１１をリュックサック１の収容部２の使用者の背中に当接する面に装着した場合に、リュックサック１の収容部２の使用者の背中に当接する面を使用者の背中を包み込むような形状にすることができる。これにより、本体板１１に収容部２に収容した物品を固定することにより、リュックサック１に生じる横揺れをさらに低減することが可能となる。
【００３９】
以下、図６を参照して、本発明のパッキングホルダー１０において、リュックサックの収容部の垂直方向の高さに合わせて本体板１１の高さを調節可能とする高さ調節手段と、高さ調節手段で調整した本体板１１の高さを固定可能な高さ固定手段について説明する。
【００４０】
図６に示すように、本体板１１は、上部本体板１１ａと下部本体板１１ｂとの接合部には、上部本体板１１ａを下部本体板１１ｂの上部に伸延させてリュックサックの収容部の高さに応じて当該本体板１１の高さを調節可能とする高さ調節手段を備えている。この高さ調節手段は、アルミ等で形成された一対のスライド板１６、１６と、このスライド板１６、１６を挿入するための帯状体１２、１２の中央部１２ｂ、１２ｂと下部本体板１１ｂの表面との間に設けられた一対のスライド溝部１７，１７とで構成されている。
【００４１】
そして、一対のスライド板１６、１６の一端は上部本体板１１ａの下端に結合され、スライド板１６、１６の他端は下部本体板１１ｂに設けられたスライド溝部１７，１７に挿入されて、スライド板１６、１６を上下に伸縮可能としている。
【００４２】
一般に、リュックサックの収容部の容量は、リュックサックの横幅の大きさではなく高さによって異なる。このため、本実施例のパッキングホルダー１０は、リュックサックの垂直方向の高さが異なり、収容部への物品の収容量が異なる複数種類のリュックサックの収容部においても同じパッキングホルダー１０を装着することが可能なように、本体板１１の高さ調節手段を備えている。
【００４３】
スライド板１６、１６には、等間隔（例えば、５ｍｍ間隔）で複数の穴１６ａが設けられている。そして、下部本体板１１ｂに設けられた一対のスライド溝部１７，１７の上端には、一対のスライド板１６、１６が一対のスライド溝部１７，１７を上下に伸縮することを阻止する高さ固定手段１８が設けられている。この高さ固定手段１８は、中央部にスライド板１６、１６に設けられた複数の穴１６ａに挿入するための突起１８ａが設けられている。この高さ固定手段１８の突起１８ａをスライド板１６、１６の穴１６ａに挿入することで、スライド溝部１７，１７におけるスライド板１６、１６の上下移動（つまり、伸縮）を阻害して本体板１１の高さを固定する構成としている。
【００４４】
すなわち、本発明のパッキングホルダー１０は、上述した本体板１１の高さ調節手段と、この高さ調節手段で調整した本体板１１の高さを固定可能な高さ固定手段を備えることで、収容部の容量が異なる複数のリュックサックに対して使用可能としている。なお、本発明の高さ調節手段及び高さ固定手段は、本実施例に限定されるものではなく、本体板１１の全高を可変可能な構造のものであればよい。
【００４５】
以下、図７を参照して、本発明のパッキングホルダー１０の変形例を説明する。なお、以下の変形例においては、上述したパッキングホルダー１０と同様な箇所は同じ符号を付して説明を省略する。
【００４６】
図７に示すように、変形例においては、帯状体１２、１２の下端部１２ｃ、１２ｃの底部ベルト１４から調整部１２ｄ、１２ｄにかけてメッシュシート１９を貼り付けている。このように、メッシュシート１９により収納部に収容された物品を覆うことで、例えば、リュックサックの収容部に収容される物品が多種多様な小物であった場合でも、物品を確実にパッキングホルダー１０の本体板１１に固定して保持することができる。これにより、使用者が当該リュックサックを背負って歩行や軽いランニング等を行ったときの、収容部内での物品の揺れを抑えることができ、使用者の肩への負担を少なくすることができる。
【００４７】
また、本実施例においては、物品固定手段を構成する左右一対の帯状体１２、１２に使用する一対の係止具として、雌雄一対の合成樹脂製のテープアジャスターバックルを用いたが、これに限らず、帯状体１２、１２の一端側と他端側とを連結及び連結の解除ができるものであればよい。
【００４８】
以上、上記実施例を通して本発明を説明してきたが、本発明はこれらに限定されるものではない。また、上述した各効果は、本発明から生じる最も好適な効果を列挙したに過ぎず、本発明による効果は、本実施例に記載されたものに限定されるものではない。
【符号の説明】
【００４９】
１    リュックサック
２    収容部
１０  パッキングホルダー
１１  本体板
１１ａ  上部本体板
１１ｂ  下部本体板
１２  帯状体
１２ａ  上部帯状体
１２ｂ  中部帯状体
１２ｃ  下部帯状体
１３ａ  雌部
１３ｂ  雄部
１４  底部ベルト
１５ａ  連結ベルト
１５ｂ  連結ベルト
【図１】
2016168215.tif 000003
【図２】
2016168215.tif 000004
【図３】
2016168215.tif 000005
【図４】
2016168215.tif 000006
【図５】
2016168215.tif 000007
【図６】
2016168215.tif 000008
【図７】
2016168215.tif 000009